(57)【特許請求の範囲】
【請求項１】
複数のエンティティ間のクレジット挙動ネットワークマップを作成するコンピュータで実現される方法であって、前記方法は、
第１のエンティティの識別子を受け取ることと、
前記第１のエンティティとのビジネス上の関係を有しかつ前記第１のエンティティの債権者である第２のエンティティの識別子を返す少なくとも１つのデータベースの第１の検索を実行することと、
前記第２のエンティティの債権者である第３のエンティティの識別子を返す前記少なくとも１つのデータベースの第２の検索を実行することと、
記憶デバイスにおいて、前記第１のエンティティの前記識別子と、前記第２のエンティティの前記識別子と、前記第３のエンティティの前記識別子とに基づいて、前記クレジット挙動ネットワークマップを定義し、前記第２のエンティティを介した前記第１のエンティティと前記第３のエンティティとの間の経路を備える、データ構造を構築することと、
前記第３のエンティティの財務の特性に基づいて前記第１のエンティティのリスクを決定することと
のために、プロセッサに関連づけられた前記コンピュータのメモリから読み取られた命令に従って前記コンピュータの前記プロセッサを使用すること
を備える方法。
【請求項２】
複数のエンティティ間のクレジット挙動ネットワークマップを作成するコンピュータで実現される方法であって、前記方法は、
第１のエンティティの識別子を受け取ることと、
前記第１のエンティティとのビジネス上の関係を有しかつ前記第１のエンティティの債権者である第２のエンティティの識別子を返す少なくとも１つのデータベースの第１の検索を実行することと、
前記第２のエンティティの債権者である第３のエンティティの識別子を返す前記少なくとも１つのデータベースの第２の検索を実行することと、
記憶デバイスにおいて、前記第１のエンティティの前記識別子と、前記第２のエンティティの前記識別子と、前記第３のエンティティの前記識別子とに基づいて、前記クレジット挙動ネットワークマップを定義し、前記第２のエンティティを介した前記第１のエンティティと前記第３のエンティティとの間の経路を備える、データ構造を構築することと
を備える方法。
【請求項３】
複数のエンティティ間のクレジット挙動ネットワークマップを作成するコンピュータで実現される方法であって、前記方法は、
第１のエンティティの識別子を受け取ることと、
前記第１のエンティティとのビジネス上の関係を有しかつ前記第１のエンティティに階層的に関連する第２のエンティティの識別子を返す少なくとも１つのデータベースの第１の検索を実行することと、
前記第２のエンティティの債権者である第３のエンティティの識別子を返す前記少なくとも１つのデータベースの第２の検索を実行することと、
記憶デバイスにおいて、前記第１のエンティティの前記識別子と、前記第２のエンティティの前記識別子と、前記第３のエンティティの前記識別子とに基づいて、前記クレジット挙動ネットワークマップを定義し、前記第２のエンティティを介した前記第１のエンティティと前記第３のエンティティとの間の経路を備える、データ構造を構築することと
を備える方法。
【請求項４】
複数のエンティティ間のクレジット挙動ネットワークマップを作成するコンピュータで実現される方法であって、前記方法は、
第１のエンティティの識別子を受け取ることと、
前記第１のエンティティとのビジネス上の関係を有しかつ前記第１のエンティティについて信用照会を行ったことがある第２のエンティティの識別子を返す少なくとも１つのデータベースデータベースの第１の検索を実行することと、
前記第２のエンティティの債権者である第３のエンティティの識別子を返す前記少なくとも１つのデータベースの第２の検索を実行することと、
記憶デバイスにおいて、前記第１のエンティティの前記識別子と、前記第２のエンティティの前記識別子と、前記第３のエンティティの前記識別子とに基づいて、前記第２のエンティティを介した前記第１のエンティティと前記第３のエンティティとの間の経路を定義する、データ構造を構築することと
を備える方法。
【請求項５】
複数のエンティティ間のクレジット挙動ネットワークマップを作成するコンピュータで実現される方法であって、前記方法は、
第１のエンティティの識別子を受け取ることと、
前記第１のエンティティの債権者である第２のエンティティの識別子を返す少なくとも１つのデータベースの第１の検索を実行することと、
前記第２のエンティティについて信用照会を行ったことがある第３のエンティティの識別子を返す前記少なくとも１つのデータベースの第２の検索を実行することと、
記憶デバイスにおいて、前記第１のエンティティの前記識別子と、前記第２のエンティティの前記識別子と、前記第３のエンティティの前記識別子とに基づいて、前記クレジット挙動ネットワークマップを定義し、前記第２のエンティティを介した前記第１のエンティティと前記第３のエンティティとの間の経路を備える、データ構造を構築することと
を備える方法。
【請求項６】
複数のエンティティ間のクレジット挙動ネットワークマップを作成するコンピュータで実現される方法であって、前記方法は、
第１のエンティティの識別子を受け取ることと、
前記第１のエンティティに階層的に関連する第２のエンティティの識別子を返す少なくとも１つのデータベースの第１の検索を実行することと、
前記第２のエンティティについて信用照会を行ったことがある第３のエンティティの識別子を返す前記少なくとも１つのデータベースの第２の検索を実行することと、
記憶デバイスにおいて、前記第１のエンティティの前記識別子と、前記第２のエンティティの前記識別子と、前記第３のエンティティの前記識別子とに基づいて、前記クレジット挙動ネットワークマップを定義し、且つ前記第２のエンティティを介した前記第１のエンティティと前記第３のエンティティとの間の経路を備える、データ構造を構築することと
を備える方法。
【請求項７】
前記関係は、前記第２のエンティティが前記第１のエンティティについて信用照会を行ったことがあることである、
請求項１又は２に記載の方法。
【請求項８】
前記第１の検索は、前記第２のエンティティから前記第１のエンティティに供与されているクレジットの第１の額をさらに返し、
前記第２の検索は、前記第３のエンティティから前記第２のエンティティに供与されているクレジットの第２の額をさらに返し、
前記構築することは、前記データ構造において、（ａ）前記第１のエンティティの前記識別子、（ｂ）前記第２のエンティティの前記識別子、（ｃ）前記第３のエンティティの前記識別子、（ｄ）前記クレジットの第１の額、及び（ｅ）前記クレジットの第２の額を含む、
請求項１から７のいずれかに記載の方法。
【請求項９】
前記第２の検索は、前記第３のエンティティから前記第２のエンティティに供与されているクレジットの額をさらに返し、
前記構築することは、前記データ構造において、（ａ）前記第１のエンティティの前記識別子、（ｂ）前記第２のエンティティの前記識別子、（ｃ）前記第３のエンティティの前記識別子、及び（ｄ）前記クレジットの額を含む、
請求項１から７のいずれかに記載の方法。
【請求項１０】
前記第１の検索は、前記第２のエンティティから前記第１のエンティティに供与されているクレジットの第１の額をさらに返し、
前記第２の検索は、前記第３のエンティティから前記第２のエンティティに供与されているクレジットの第２の額をさらに返し、
前記構築することは、前記データ構造において、前記クレジットの第１の額及び前記クレジットの第２の額を含む、
請求項１から７のいずれかに記載の方法。
【請求項１１】
前記第１の検索は、前記第２のエンティティから前記第１のエンティティに供与されているクレジットの額をさらに返すか、或いは、
前記第２の検索は、前記第３のエンティティから前記第２のエンティティに供与されているクレジットの額をさらに返し、
前記構築することは、前記データ構造において、前記クレジットの額を含む、
請求項１から７のいずれかに記載の方法。
【請求項１２】
前記第３のエンティティの特性の関数に従って前記第１のエンティティの特性を評価すること
をさらに備える、請求項１から１１のいずれかに記載の方法。
【請求項１３】
前記第１のエンティティの前記リスクは、前記第１のエンティティのクレジットリスクである、請求項１から１２のいずれかに記載の方法。
【請求項１４】
前記データ構造は、対象の会社のサプライヤー及びサプライヤーのサプライヤーについてのキャッシュフローシグナル及びトレンドを示す複数の財務関係マップを表す、請求項１から１３のいずれかに記載の方法。
【請求項１５】
プロセッサと、
前記プロセッサによって読み取り可能であり、且つ前記プロセッサによって読み取られた場合に、前記プロセッサに、
第１のエンティティの識別子を受け取り、
前記第１のエンティティとのビジネス上の関係を有しかつ前記第１のエンティティの債権者である第２のエンティティの識別子を返す少なくとも１つのデータベースの第１の検索を実行し、
前記第２のエンティティの債権者である第３のエンティティの識別子を返す前記少なくとも１つのデータベースの第２の検索を実行し、
記憶デバイスにおいて、前記第１のエンティティの前記識別子と、前記第２のエンティティの前記識別子と、前記第３のエンティティの前記識別子とに基づいて、クレジット挙動ネットワークマップを定義し、前記第２のエンティティを介した前記第１のエンティティと前記第３のエンティティとの間の経路を備える、データ構造を構築し、
前記第３のエンティティの財務の特性に基づいて前記第１のエンティティのリスクを決定する
動作を実行させる命令を包含するメモリと
を備える装置。
【請求項１６】
プロセッサと、
前記プロセッサによって読み取り可能であり、且つ前記プロセッサによって読み取られた場合に、前記プロセッサに、
第１のエンティティの識別子を受け取り、
前記第１のエンティティとのビジネス上の関係を有しかつ前記第１のエンティティの債権者である第２のエンティティの識別子を返す少なくとも１つのデータベースの第１の検索を実行し、
前記第２のエンティティの債権者である第３のエンティティの識別子を返す前記少なくとも１つのデータベースの第２の検索を実行し、
記憶デバイスにおいて、前記第１のエンティティの前記識別子と、前記第２のエンティティの前記識別子と、前記第３のエンティティの前記識別子とに基づいて、クレジット挙動ネットワークマップを定義し、且つ前記第２のエンティティを介した前記第１のエンティティと前記第３のエンティティとの間の経路を備える、データ構造を構築する
動作を実行させる命令を包含するメモリと
を備える装置。
【請求項１７】
プロセッサと、
前記プロセッサによって読み取り可能であり、且つ前記プロセッサによって読み取られた場合に、前記プロセッサに、
第１のエンティティの識別子を受け取り、
前記第１のエンティティに階層的に関連する第２のエンティティの識別子を返す少なくとも１つのデータベースの第１の検索を実行し、
前記第２のエンティティの債権者である第３のエンティティの識別子を返す前記少なくとも１つのデータベースの第２の検索を実行し、
記憶デバイスにおいて、前記第１のエンティティの前記識別子と、前記第２のエンティティの前記識別子と、前記第３のエンティティの前記識別子とに基づいて、クレジット挙動ネットワークマップを定義し、且つ前記第２のエンティティを介した前記第１のエンティティと前記第３のエンティティとの間の経路を備える、データ構造を構築する
動作を実行させる命令を包含するメモリと
を備える装置。
【請求項１８】
プロセッサと、
前記プロセッサによって読み取り可能であり、且つ前記プロセッサによって読み取られた場合に、前記プロセッサに、
第１のエンティティの識別子を受け取り、
前記第１のエンティティについて信用照会を行ったことがある第２のエンティティの識別子を返す少なくとも１つのデータベースの第１の検索を実行し、
前記第２のエンティティの債権者である第３のエンティティの識別子を返す前記少なくとも１つのデータベースの第２の検索を実行し、
記憶デバイスにおいて、前記第１のエンティティの前記識別子と、前記第２のエンティティの前記識別子と、前記第３のエンティティの前記識別子とに基づいて、クレジット挙動ネットワークマップを定義し、且つ前記第２のエンティティを介した前記第１のエンティティと前記第３のエンティティとの間の経路を備える、データ構造を構築する
動作を実行させる命令を包含するメモリと
を備える装置。
【請求項１９】
プロセッサと、
前記プロセッサによって読み取り可能であり、且つ前記プロセッサによって読み取られた場合に、前記プロセッサに、
第１のエンティティの識別子を受け取り、
前記第１のエンティティの債権者である第２のエンティティの識別子を返す少なくとも１つのデータベースの第１の検索を実行し、
前記第２のエンティティについて信用照会を行ったことがある第３のエンティティの識別子を返す前記少なくとも１つのデータベースの第２の検索を実行し、
記憶デバイスにおいて、前記第１のエンティティの前記識別子と、前記第２のエンティティの前記識別子と、前記第３のエンティティの前記識別子とに基づいて、クレジット挙動ネットワークマップを定義し、且つ前記第２のエンティティを介した前記第１のエンティティと前記第３のエンティティとの間の経路を備える、データ構造を構築する
動作を実行させる命令を包含するメモリと
を備える装置。
【請求項２０】
プロセッサと、
前記プロセッサによって読み取り可能であり、且つ前記プロセッサによって読み取られた場合に、前記プロセッサに、
第１のエンティティの識別子を受け取り、
前記第１のエンティティに階層的に関連する第２のエンティティの識別子を返す少なくとも１つのデータベースの第１の検索を実行し、
前記第２のエンティティについて信用照会を行ったことがある第３のエンティティの識別子を返す前記少なくとも１つのデータベースの第２の検索を実行し、
記憶デバイスにおいて、前記第１のエンティティの前記識別子と、前記第２のエンティティの前記識別子と、前記第３のエンティティの前記識別子とに基づいて、クレジット挙動ネットワークマップを定義し、且つ前記第２のエンティティを介した前記第１のエンティティと前記第３のエンティティとの間の経路を備える、データ構造を構築する
動作を実行させる命令を包含するメモリと
を備える装置。
【請求項２１】
前記関係は、前記第２のエンティティが前記第１のエンティティについて信用照会を行ったことがあることである、
請求項１５又は１６に記載の装置。
【請求項２２】
前記第１の検索は、前記第２のエンティティから前記第１のエンティティに供与されているクレジットの第１の額をさらに返し、
前記第２の検索は、前記第３のエンティティから前記第２のエンティティに供与されているクレジットの第２の額をさらに返し、
前記構築することは、前記データ構造において、前記クレジットの第１の額及び前記クレジットの第２の額を含む、
請求項１５から２１のいずれかに記載の装置。
【請求項２３】
前記第１の検索は、前記第２のエンティティから前記第１のエンティティに供与されているクレジットの額をさらに返すか、或いは、
前記第２の検索は、前記第３のエンティティから前記第２のエンティティに供与されているクレジットの額をさらに返し、
前記構築することは、前記データ構造において、前記クレジットの額を含む、
請求項１５から２１のいずれかに記載の装置。
【請求項２４】
前記命令は、前記プロセッサに、
前記第３のエンティティの特性の関数に従って前記第１のエンティティの特性を評価する
動作をさらに実行させる、請求項１５から２３のいずれかに記載の装置。
【請求項２５】
前記第１のエンティティの前記リスクは、前記第１のエンティティのクレジットリスクである、請求項１５から２４のいずれかに記載の装置。
【請求項２６】
前記データ構造は、対象の会社のサプライヤー及びサプライヤーのサプライヤーについてのキャッシュフローシグナル及びトレンドを示す複数の財務関係マップを表す、請求項１５から２５のいずれかに記載の装置。
【請求項２７】
プロセッサによって読み取り可能であり、且つ前記プロセッサによって読み取られた場合に、前記プロセッサに、
第１のエンティティの識別子を受け取り、
前記第１のエンティティとのビジネス上の関係を有しかつ前記第１のエンティティの債権者である第２のエンティティの識別子を返す少なくとも１つのデータベースの第１の検索を実行し、
前記第２のエンティティの債権者である第３のエンティティの識別子を返す前記少なくとも１つのデータベースの第２の検索を実行し、
記憶デバイスにおいて、前記第１のエンティティの前記識別子と、前記第２のエンティティの前記識別子と、前記第３のエンティティの前記識別子とに基づいて、前記第２のエンティティを介した前記第１のエンティティと前記第３のエンティティとの間の経路を備えるクレジット挙動ネットワークマップを定義する、データ構造を構築し、
前記第３のエンティティの財務の特性に基づいて前記第１のエンティティのリスクを決定する
動作を実行させる命令を備える非一時的な記憶媒体。
【請求項２８】
プロセッサによって読み取り可能であり、且つ前記プロセッサによって読み取られた場合に、前記プロセッサに、
第１のエンティティの識別子を受け取り、
前記第１のエンティティとのビジネス上の関係を有しかつ前記第１のエンティティの債権者である第２のエンティティの識別子を返す少なくとも１つのデータベースの第１の検索を実行し、
前記第２のエンティティの債権者である第３のエンティティの識別子を返す前記少なくとも１つのデータベースの第２の検索を実行し、
記憶デバイスにおいて、前記第１のエンティティの前記識別子と、前記第２のエンティティの前記識別子と、前記第３のエンティティの前記識別子とに基づいて、クレジット挙動ネットワークマップを定義し、且つ前記第２のエンティティを介した前記第１のエンティティと前記第３のエンティティとの間の経路を備える、データ構造を構築する
動作を実行させる命令を備える非一時的な記憶媒体。
【請求項２９】
プロセッサによって読み取り可能であり、且つ前記プロセッサによって読み取られた場合に、前記プロセッサに、
第１のエンティティの識別子を受け取り、
前記第１のエンティティに階層的に関連する第２のエンティティの識別子を返す少なくとも１つのデータベースの第１の検索を実行し、
前記第２のエンティティの債権者である第３のエンティティの識別子を返す前記少なくとも１つのデータベースの第２の検索を実行し、
記憶デバイスにおいて、前記第１のエンティティの前記識別子と、前記第２のエンティティの前記識別子と、前記第３のエンティティの前記識別子とに基づいて、クレジット挙動ネットワークマップを定義し、且つ前記第２のエンティティを介した前記第１のエンティティと前記第３のエンティティとの間の経路を備える、データ構造を構築する
動作を実行させる命令を備える非一時的な記憶媒体。
【請求項３０】
プロセッサによって読み取り可能であり、且つ前記プロセッサによって読み取られた場合に、前記プロセッサに、
第１のエンティティの識別子を受け取り、
前記第１のエンティティについて信用照会を行ったことがある第２のエンティティの識別子を返す少なくとも１つのデータベースの第１の検索を実行し、
前記第２のエンティティの債権者である第３のエンティティの識別子を返す前記少なくとも１つのデータベースの第２の検索を実行し、
記憶デバイスにおいて、前記第１のエンティティの前記識別子と、前記第２のエンティティの前記識別子と、前記第３のエンティティの前記識別子とに基づいて、クレジット挙動ネットワークマップを定義し、且つ前記第２のエンティティを介した前記第１のエンティティと前記第３のエンティティとの間の経路を備える、データ構造を構築する
動作を実行させる命令を備える非一時的な記憶媒体。
【請求項３１】
プロセッサによって読み取り可能であり、且つ前記プロセッサによって読み取られた場合に、前記プロセッサに、
第１のエンティティの識別子を受け取り、
前記第１のエンティティの債権者である第２のエンティティの識別子を返す少なくとも１つのデータベースの第１の検索を実行し、
前記第２のエンティティについて信用照会を行ったことがある第３のエンティティの識別子を返す前記少なくとも１つのデータベースの第２の検索を実行し、
記憶デバイスにおいて、前記第１のエンティティの前記識別子と、前記第２のエンティティの前記識別子と、前記第３のエンティティの前記識別子とに基づいて、クレジット挙動ネットワークマップを定義し、且つ前記第２のエンティティを介した前記第１のエンティティと前記第３のエンティティとの間の経路を備える、データ構造を構築する
動作を実行させる命令を備える非一時的な記憶媒体。
【請求項３２】
プロセッサによって読み取り可能であり、且つ前記プロセッサによって読み取られた場合に、前記プロセッサに、
第１のエンティティの識別子を受け取り、
前記第１のエンティティに階層的に関連する第２のエンティティの識別子を返す少なくとも１つのデータベースの第１の検索を実行し、
前記第２のエンティティについて信用照会を行ったことがある第３のエンティティの識別子を返す前記少なくとも１つのデータベースの第２の検索を実行し、
記憶デバイスにおいて、前記第１のエンティティの前記識別子と、前記第２のエンティティの前記識別子と、前記第３のエンティティの前記識別子とに基づいて、クレジット挙動ネットワークマップを定義し、且つ前記第２のエンティティを介した前記第１のエンティティと前記第３のエンティティとの間の経路を備える、データ構造を構築する
動作を実行させる命令を備える非一時的な記憶媒体。
【請求項３３】
前記関係は、前記第２のエンティティが前記第１のエンティティについて信用照会を行ったことがあることである、
請求項２７又は２８に記載の非一時的な記憶媒体。
【請求項３４】
前記第１の検索は、前記第２のエンティティから前記第１のエンティティに供与されているクレジットの第１の額をさらに返し、
前記第２の検索は、前記第３のエンティティから前記第２のエンティティに供与されているクレジットの第２の額をさらに返し、
前記構築することは、前記データ構造において、（ａ）前記第１のエンティティの前記識別子、（ｂ）前記第２のエンティティの前記識別子、（ｃ）前記第３のエンティティの前記識別子、（ｄ）前記クレジットの第１の額、及び（ｅ）前記クレジットの第２の額を含む、
請求項２７から３３のいずれかに記載の非一時的な記憶媒体。
【請求項３５】
前記第２の検索は、前記第３のエンティティから前記第２のエンティティに供与されているクレジットの額をさらに返し、
前記構築することは、前記データ構造において、（ａ）前記第１のエンティティの前記識別子、（ｂ）前記第２のエンティティの前記識別子、（ｃ）前記第３のエンティティの前記識別子、及び（ｄ）前記クレジットの額を含む、
請求項２７から３３のいずれかに記載の非一時的な記憶媒体。
【請求項３６】
前記第１の検索は、前記第２のエンティティから前記第１のエンティティに供与されているクレジットの第１の額をさらに返し、
前記第２の検索は、前記第３のエンティティから前記第２のエンティティに供与されているクレジットの第２の額をさらに返し、
前記構築することは、前記データ構造において、前記クレジットの第１の額及び前記クレジットの第２の額を含む、
請求項２７から３３のいずれかに記載の非一時的な記憶媒体。
【請求項３７】
前記第１の検索は、前記第２のエンティティから前記第１のエンティティに供与されているクレジットの額をさらに返すか、或いは、
前記第２の検索は、前記第３のエンティティから前記第２のエンティティに供与されているクレジットの額をさらに返し、
前記構築することは、前記データ構造において、前記クレジットの額を含む、
請求項２７から３３のいずれかに記載の非一時的な記憶媒体。
【請求項３８】
前記命令は、前記プロセッサに、
前記第３のエンティティの特性の関数に従って前記第１のエンティティの特性を評価する
動作をさらに実行させる、請求項２７から３７のいずれかに記載の非一時的な記憶媒体。
【請求項３９】
前記第１のエンティティの前記リスクは、前記第１のエンティティのクレジットリスクである、請求項２７から３８のいずれかに記載の非一時的な記憶媒体。
【請求項４０】
前記データ構造は、対象の会社のサプライヤー及びサプライヤーのサプライヤーについてのキャッシュフローシグナル及びトレンドを示す複数の財務関係マップを表す、請求項２７から３９のいずれかに記載の非一時的な記憶媒体。
【発明の詳細な説明】
【技術分野】
【０００１】
本開示は、クレジットの評価に関し、より具体的にはクレジット挙動ネットワークマッピング手順に関する。
【背景技術】
【０００２】
このセクションにおいて説明されるアプローチは、追求され得るアプローチであるが、必ずしも以前に考案又は追求されたアプローチではない。したがって、そうでないと示されない限り、このセクションにおいて説明されるアプローチは、本願における請求項の従来技術ではあり得ず、このセクションへの包含により従来技術であると認められるものではない。
【０００３】
Ｆａｉｒ  Ｉｓａａｃ  Ｃｏｒｐｏｒａｔｉｏｎ（ＦＩＣＯ）のクレジットスコアといった、クレジット適格性又はクレジットスコアのための従来の技法は、会社が流動負債を支払う可能性を示す。銀行及びクレジットカード会社のような貸し手は、消費者に融資することによってもたらされる潜在的なリスクを評価するためにクレジットスコアを使用する。クレジットスコアの広範な使用は、クレジットを、消費者にとってより広く利用可能なものに、そしてより身近なものにしてきた。
【０００４】
ＦＩＣＯ及び他の同様の技法は、クレジットスコアを生成するために会社の財務履歴を分析する。たとえば、ＦＩＣＯは、会社の支払い履歴、クレジットの利用、クレジットヒストリーの長さ、使用されたクレジットのタイプ、たとえば、分割払い、リボルビング払い、消費者の財務及び担保、クレジットについての最近の調査、及び抵当権のような特別なファクターを分析する。
【０００５】
しかしながら、ＦＩＣＯの評価は単に、クレジットスコアを生成するために単一の会社の財務履歴を分析するにすぎない。これは、ＦＩＣＯの評価の範囲を限定し、さらに、よりグローバルなサプライチェーンに関連するファクターを認識及び考慮することができない。
【０００６】
したがって、会社についてのクレジット挙動の、より広く、且つグローバルな評価に対するニーズが残されている。
【発明の概要】
【発明が解決しようとする課題】
【０００７】
ここでは、キャッシュフロー、すなわちビジネスについての受取勘定、を評価するクレジット挙動ネットワークマッピング手順が提供される。
【課題を解決するための手段】
【０００８】
第１のエンティティの識別子を受け取ることと、第１のエンティティとの関係を有する第２のエンティティの識別子を返すデータベースの第１の検索を実行することと、第２のエンティティの債権者である第３のエンティティの識別子を返すデータベースの第２の検索を実行することと、記憶デバイスにおいて、第２のエンティティを介した第１のエンティティと第３のエンティティとの間の経路を定義するデータ構造を構築することとを含む方法がさらに提供される。
【０００９】
また、第１のエンティティの識別子を受け取ることと、第１のエンティティの債権者である第２のエンティティの識別子を返すデータベースの第１の検索を実行することと、第２のエンティティの債権者である第３のエンティティの識別子を返すデータベースの第２の検索を実行することと、記憶デバイスにおいて、第２のエンティティを介した第１のエンティティと第３のエンティティとの間の経路を定義するデータ構造を構築することとを含む方法も提供される。
【００１０】
第１のエンティティの識別子を受け取ることと、第１のエンティティに階層的に関連する第２のエンティティの識別子を返すデータベースの第１の検索を実行することと、第２のエンティティの債権者である第３のエンティティの識別子を返すデータベースの第２の検索を実行することと、記憶デバイスにおいて、第２のエンティティを介した第１のエンティティと第３のエンティティとの間の経路を定義するデータ構造を構築することとを含む方法がさらに提供される。
【００１１】
また、第１のエンティティの識別子を受け取ることと、第１のエンティティについて信用照会を行ったことがある第２のエンティティの識別子を返すデータベースの第１の検索を実行することと、第２のエンティティの債権者である第３のエンティティの識別子を返すデータベースの第２の検索を実行することと、記憶デバイスにおいて、第２のエンティティを介した第１のエンティティと第３のエンティティとの間の経路を定義するデータ構造を構築することとを含む方法も提供される。
【００１２】
第１のエンティティの識別子を受け取ることと、第１のエンティティの債権者である第２のエンティティの識別子を返すデータベースの第１の検索を実行することと、第２のエンティティについて信用照会を行ったことがある第３のエンティティの識別子を返すデータベースの第２の検索を実行することと、記憶デバイスにおいて、第２のエンティティを介した第１のエンティティと第３のエンティティとの間の経路を定義するデータ構造を構築することとを含む方法がさらに提供される。
【００１３】
第１のエンティティの識別子を受け取ることと、第１のエンティティに階層的に関連する第２のエンティティの識別子を返すデータベースの第１の検索を実行することと、第２のエンティティについて信用照会を行ったことがある第３のエンティティの識別子を返すデータベースの第２の検索を実行することと、記憶デバイスにおいて、第２のエンティティを介した第１のエンティティと第３のエンティティとの間の経路を定義するデータ構造を構築することとを含む方法もまた提供される。
【００１４】
上記で提供された方法を実行するための装置がさらに提供される。この装置は、プロセッサとメモリとを含む。メモリは、プロセッサによって読み取り可能であり、且つプロセッサによって読み取られた場合に、上述された方法ステップの動作をプロセッサに実行させる、命令を包含する。
【００１５】
さらに、プロセッサによって読み取り可能な命令を含む非一時的な記憶媒体が存在する。命令は、プロセッサによって読み取られた場合に、上述された方法の動作をプロセッサに実行させる。
【図面の簡単な説明】
【００１６】
【図１】図１は、クレジット挙動ネットワークマップを生成するためのシステムを示す図である。
【００１７】
【図２】図２は、金銭的関係マップの一例を示す図である。
【００１８】
【図３】図３は、別の金銭的関係マップを示す図である。
【００１９】
【図４】図４は、金銭的関係マップの別の例を示す図である。
【００２０】
【図５】図５は、エンティティのクレジット挙動を評価するための方法を示す図である。
【００２１】
【図６】図６は、エンティティのクレジット挙動を評価するためのさらなる方法を示す図である。
【００２２】
【図７】図７は、エンティティのクレジット挙動を評価するためのさらなる方法を示す図である。
【００２３】
【図８】図８は、エンティティのクレジット挙動を評価するためのさらなる方法を示す図である。
【００２４】
【図９】図９は、エンティティのクレジット挙動を評価するためのさらなる方法を示す図である。
【発明を実施するための形態】
【００２５】
２つ以上の図面に共通するコンポーネント又は特徴は、図面の各々において同一の参照番号を用いて示される。
【００２６】
本開示は、対象の会社についての財務データを、それに対する異なる分離度を有する複数の監視会社によって提供する、フォワードルッキングクレジットネットワークマップを提供するための方法及びシステムを説明する。このフォワードルッキングクレジットネットワークマップは、たとえば、クレジットサプライチェーンの異なるポイントでのクレジットの障害を識別し、それらの障害を対象の会社の運営への最終的な影響に関連づけ得る、財務モデルを提供する。
【００２７】
図面を参照すると、特に図１では、クレジット挙動ネットワークマップを生成するためのシステム１００が提供される。システム１００は、ユーザ端末１３０に接続されたコンピュータ１０５、及びネットワーク１３５を介した複数のデータベースを含む。
【００２８】
データベースは、１つ以上の物理データベースであり得る。集合的に、データベースは、信用照会１３７、取引データ１４０、企業連関１４５、ビジネスパラメータ１５０、複数の財務ネットワークマップ１５５、及び出力パラメータ１６０を含む。
【００２９】
コンピュータ１０５は、メモリ１１５と通信するプロセッサ１１０を含む。メモリ１１５は、プログラムモジュール１２０を含む。プロセッサ１１０は、命令に応答し命令を実行する論理回路で構成される。「モジュール」という用語は、スタンドアロンコンポーネント、又は、複数の下位コンポーネントの統合された構成のいずれかとして具体化され得る機能動作を表すために本明細書において使用される。
【００３０】
システム１００は、メモリ１１５にインストールされた本開示の方法についての命令を有するものとして本明細書では説明されるが、命令は、メモリ１１５への後のロードのために外部のコンピュータ可読記憶媒体１２５において有形で具体化され得る。記憶媒体１２５は、フロッピー（登録商標）ディスク、コンパクトディスク、磁気テープ、読み取り専用メモリ、光学記憶媒体、ユニバーサルシリアルバス（ＵＳＢ）フラッシュドライブ、デジタル多用途ディスク、又はジップドライブを含むが、これらに限定されない、任意の従来の記憶媒体であり得る。命令はまた、ランダムアクセスメモリ、又は、リモートストレージシステム上に存在しメモリ１１５に結合された他のタイプの電子ストレージの中に組み入れられ得る。
【００３１】
さらに、プログラムモジュール１２０は、メモリ１１５にインストールされ、その結果ソフトウェアに実装されているものとして、本明細書において説明されるが、プログラムモジュール１２０は、ハードウェア（たとえば、電子回路）、ファームウェア、ソフトウェアのいずれか、又はそれらの組み合わせにおいて実装され得る。
【００３２】
信用照会１３７は典型的に、対象の会社についてのクレジットヒストリーを調べようとする貸出機関、地主、又は事業主による要求のようなデータを記憶する。加えて、信用照会１３７は、クレジットヒストリーについての第三者からの要求、たとえば、将来的な貸し手を含み得る。信用照会１３７は典型的に、クレジットヒストリーが要求された会社、たとえば対象の会社、によって索引付けされたデータを記憶する。
【００３３】
取引データ１４０は、受取勘定データのような会社についての財務データを含む。受取勘定データは、特定の会社の債務者によりその会社に支払われるべき金額のような情報である。加えて、受取勘定データは、エンティティを債権者に対する債務者として識別し、クレジットの額を示す。受取勘定データは典型的に、債権者情報に従って索引付けされ、特に、対象の会社のサプライヤーについての受取勘定を含む。プロセッサ１１０は、プログラムモジュール１２０の命令の下、会社から受取勘定データを受け取り、取引データ１４０に投入する。
【００３４】
企業連関１４５は、対象の会社についての企業関係データを含む。企業関係データは、対象の会社の関連会社間の、さらに、対象の会社のサプライヤーの関連会社間の、階層的な関係である。たとえば、企業連関１４５は、親会社、子会社、支店、ビジネスパートナー、及び親会社でも子会社でもない関連会社、たとえば、共通の親会社を有する会社、といった階層的な関係の識別子を含む。
【００３５】
ビジネスパラメータ１５０は、ある会社についての、破産データ、会社の人口統計学的データ、照会データ、及び時価総額データを含む。破産データは、破産しているサプライヤーについてのインジケータを含む。会社の人口統計学的データは、従業員数、産業のタイプ及び規模、といった会社のデータを含む。照会データは、対象の会社について照会を行う会社についての情報、さらに、対象の会社について照会を行う会社の数、たとえば数値、を含む。時価総額データは、さまざまな期間の、たとえば、毎日、毎週、及び毎月の、会社の時価総額情報を含む。
【００３６】
複数の財務ネットワークマップ１５５は、対象の会社及び異なる分離度によって分離された関連する会社についての財務関係マップを含む。典型的には、財務関係マップは、対象の会社に関連するサプライヤー及びサプライヤーのサプライヤーについてのキャッシュフローシグナル及びトレンドを表現する。サプライヤーは、対象の会社に商品又はサービスを提供する会社である。サプライヤーは、ユーティリティ、人材派遣会社、及びオフィスサプライヤーを含む。加えて、財務関係マップは、階層的に関連する会社、さらに、階層的に関連する会社のサプライヤー及びサプライヤーのサプライヤーを含み得る。以下において論じられる図２〜図４が財務関係マップの例である。
【００３７】
出力パラメータ１６０は、対象のエンティティの評価の結果である。たとえば、出力パラメータ１６０は、対象のエンティティの時価総額の変化又はデルタ値を含み得る。
【００３８】
ユーザ端末１３０は、ユーザからの入力を受け取り、ユーザに結果を出力し得る入力／出力デバイスである。たとえば、ユーザ端末１３０は、ユーザにプロセッサ１１０への情報及びコマンド選択の通信を可能にさせる、キーボード又は音声認識サブシステムを含み得る。ユーザ端末１３０はまた、ディスプレイ又はプリンタといった出力デバイスを含む。マウス、トラックボール、又はジョイスティックといったカーソルコントロールが、ユーザに、プロセッサ１１０に追加の情報及びコマンド選択を通信するためにディスプレイ上でカーソルを操作することを可能にさせる。
【００３９】
図２は、財務関係マップの一例、たとえば、クレジットネットワークマップ２００である。クレジットネットワークマップ２００は、グローバルサプライチェーン、たとえば、対象の特定の会社、すなわちエンティティ２０５、に関連するクレジットのサプライを示す。クレジットネットワークマップ２００は特に、エンティティ２０５に関連して異なる分離度を共有する会社を示す。クレジットのグローバルサプライチェーンの、さまざまなポイント、たとえば会社、によって提供される財務情報は、エンティティ２０５の財務の健全性、たとえば、エンティティ２０５のクレジットリスクに最終的に影響を及ぼす。
【００４０】
エンティティ２０５に対する異なる分離度を共有するグローバルサプライチェーン内の会社は、債権者、階層的に関連する会社、及び業界の同業者といった会社を含む。これらの会社の各々についての財務の健全性が順に、エンティティ２０５についての早期クレジットリスク警告を提供し得る。
【００４１】
エンティティ２０５の債権者は、エンティティ２１０及びエンティティ２２０を含む。クレジットネットワークマップ２００は、さらにグローバルサプライチェーン内の複数の会社、たとえば、債権者の複数の債権者を含む。エンティティ２１５は、エンティティ２１０の債権者であり、エンティティ２２５は、エンティティ２２０の債権者であり、エンティティ２４０は、エンティティ２３５の債権者である。エンティティ２１５、エンティティ２２５、及びエンティティ２４０の各々に接続された点線は、グローバルサプライチェーン内の債権者の、無制限な複数の債権者数を表現する。すなわち、クレジットネットワークマップ２００は、任意の所望の深度又は幅の関連する会社を含むように拡張され得る。
【００４２】
エンティティ２０５との階層的な関係を有する会社は、エンティティ２３０を含む。この階層的な関係は、親会社関係、子会社関係、又は、親会社でも子会社でもない関連会社関係を含み得る。図示されているように、エンティティ２３０は、エンティティ２０５の子会社である。
【００４３】
加えて、クレジットネットワークマップ２００は、エンティティ２０５の同業者である同業者２５０を含む。同業者２５０は、エンティティ２０５と同一の業界からの会社であり、エンティティ２０５との比較グループとして要約される。
【００４４】
プロセッサ１１０は、クレジットネットワークマップ２００のような財務ネットワークマップ１５５を作成するためにプログラムモジュール１２０からの命令を実行する。
【００４５】
たとえば、プログラムモジュール１２０からの命令は、プロセッサ１１０に、第１のエンティティの識別子を受け取らせ、第１のエンティティとの関係を有する第２のエンティティの識別子を返すデータベースの第１の検索を実行させ、第２のエンティティの債権者である第３のエンティティの識別子を返すデータベースの第２の検索を実行させる。命令はさらに、プロセッサ１１０に、記憶デバイスにおいて、第２のエンティティを介した第１のエンティティと第３のエンティティとの間の経路を定義するデータ構造を構築させる。
【００４６】
クレジットネットワークマップ２００を参照すると、第１のエンティティは、エンティティ２０５であり得、第２のエンティティは、エンティティ２１０であり得、第３のエンティティは、エンティティ２１５であり得る。第１の検索は、エンティティ２１０の識別子を返し、第２の検索は、エンティティ２１５の識別子を返し、上述したようにエンティティ２１５、たとえば第３のエンティティは、エンティティ２１０、たとえば第２のエンティティの債権者である。エンティティ２１０とエンティティ２０５との間の関係は、エンティティ２１０がエンティティ２０５の債権者であることである。クレジットネットワークマップ２００はさらに、エンティティ２１０を介したエンティティ２０５とエンティティ２１５との間の経路を定義するデータ構造を示す。
【００４７】
プログラムモジュール１２０からの命令はさらに、プロセッサ１１０に、第３のエンティティ、たとえばエンティティ２１５の、特性、たとえばキャッシュフローに応じて、第１のエンティティ、たとえばエンティティ２０５の、特性、たとえばクレジットリスクを評価させ得る。
【００４８】
加えて、第１の検索は、第２のエンティティ、たとえばエンティティ２１０から、第１のエンティティ、たとえばエンティティ２０５に供与されたクレジットの第１の額を返し得、第２の検索は、第３のエンティティ、たとえばエンティティ２１５から、第２のエンティティ、たとえばエンティティ２１０に供与されたクレジットの第２の額を返し得る。
【００４９】
さらなる実施形態において、第２のエンティティは、第１のエンティティに階層的に関連し得る。たとえば、第２のエンティティは、エンティティ２３０、すなわちエンティティ２０５の子会社であり得る。したがって、プロセッサ１１０がデータベースの第１の検索を実行し、第２のエンティティの識別子を返す場合、プロセッサ１１０は、エンティティ２３０の識別子を返し、プロセッサ１１０がデータベースの第２の検索を実行し、第３のエンティティの識別子を返す場合、プロセッサは、エンティティ２３５の識別子を返す。
【００５０】
図３は、別の財務関係マップ、たとえば、クレジットネットワークマップ３００を示す。
【００５１】
クレジットネットワークマップ３００は、エンティティ２０５に関連するグローバル財務チェーンの別の実施形態である。特に、クレジットネットワークマップ３００はさらに、信用照会によってエンティティ２０５又はエンティティ２３０への関心を明示する照会会社と、さらに、照会会社に関連する会社、たとえば、照会会社の債権者を示す。クレジットネットワークマップ３００おいて、エンティティ３０５は、エンティティ２０５の信用照会を行う者であり、エンティティ３１０は、エンティティ３０５の債権者である。エンティティ３１５はさらに、エンティティ２０５の信用照会を行う者であり、エンティティ３２０は、エンティティ３１５の債権者である。エンティティ３２５は、エンティティ２３０の信用照会を行う者であり、エンティティ３３０は、エンティティ３２５の債権者である。
【００５２】
プロセッサ１１０は、クレジットネットワークマップ３００のような財務ネットワークマップ１５５を作成するためにプログラムモジュール１２０からの命令を実行する。上述した、プロセッサ１１０にクレジットネットワークマップ２００を作成させるプログラムモジュール１２０からの命令が、クレジットネットワークマップ３００を作成するために同様に用いられる。
【００５３】
特に、命令は、プロセッサ１１０に、第１のエンティティの識別子を受け取らせ、第１のエンティティとの関係を有する第２のエンティティの識別子を返すデータベースの第１の検索を実行させ、第２のエンティティの債権者である第３のエンティティの識別子を返すデータベースの第２の検索を実行させ、記憶デバイスにおいて、第２のエンティティを介した第１のエンティティと第３のエンティティとの間の経路を定義するデータ構造を構築させる。さらに、命令は、プロセッサ１１０に、第３のエンティティの特性の関数に従って第１のエンティティの特性を評価させ得る。
【００５４】
たとえば、第１のエンティティの識別子は、エンティティ２０５の識別子であり得る。第１の検索は、エンティティ３０５、たとえば第１のエンティティとの関係を有する第２のエンティティの、識別子を返す。エンティティ２０５とエンティティ３０５との間の関係は、エンティティ３０５がエンティティ２０５について信用照会を行う者であることである。データベースの第２の検索は、エンティティ３１０、たとえば第２のエンティティの債権者である第３のエンティティの、識別子を返す。加えて、第２の検索は、エンティティ３１０からエンティティ３０５に供与されたクレジットの額を返す。クレジットネットワークマップ３００はさらに、エンティティ３０５、たとえば第２のエンティティを介した、エンティティ２０５、たとえば第１のエンティティと、エンティティ３１０、たとえば第３のエンティティとの間の経路を定義するデータ構造を示す。クレジットネットワークマップ３００はさらに、エンティティ２０５の識別子、エンティティ３０５の識別子、エンティティ３１０の識別子、及びエンティティ３１０からエンティティ３０５に供与されたクレジットの額を含み得る。
【００５５】
さらなる実施形態において、プログラムモジュール１２０からの命令は、プロセッサ１１０に、第１のエンティティの識別子を受け取らせ、第１のエンティティに階層的に関連する第２のエンティティの識別子を返すデータベースの第１の検索を実行させ、第２のエンティティについて信用照会を行ったことがある第３のエンティティの識別子を返すデータベースの第２の検索を実行させ、記憶デバイスにおいて、第２のエンティティを介した第１のエンティティと第３のエンティティとの間の経路を定義するデータ構造を構築させる。さらに、命令は、プロセッサ１１０に、第３のエンティティの特性の関数に従って第１のエンティティについての特性を評価させ得る。
【００５６】
たとえば、第１のエンティティは、エンティティ２０５であり、第２のエンティティは、２３０である。エンティティ２３０はエンティティ２０５の子会社であるので、エンティティ２３０は、エンティティ２０５に階層的に関連する。第２の検索は、エンティティ３２５がエンティティ２３０について信用照会を行ったので、エンティティ３２５の識別子を返し得る。クレジットネットワークマップ３００は、エンティティ２３０、たとえば第２のエンティティを介した、エンティティ２０５、たとえば第１のエンティティと、エンティティ３２５、たとえば第３のエンティティとの間の経路を定義するデータ構造を示す。さらに、特性は、エンティティ３２５の特性の関数に従うエンティティ２０５のクレジットリスクであり得る。
【００５７】
図４は、財務関係マップの別の例、たとえば、クレジットネットワークマップ４００である。
【００５８】
クレジットネットワークマップ４００は、対象の特定の会社、すなわちエンティティ２０５に関連する、グローバルサプライチェーン、たとえば、クレジットの供給を示す。クレジットネットワークマップ４００は特に、エンティティ４０５及びエンティティ４１０といった、エンティティ２０５に関連して異なる分離度を共有する会社を示す。エンティティ４０５は、エンティティ２０５の債権者であり、エンティティ４１０は、エンティティ４０５について信用照会を行う者である。
【００５９】
プロセッサ１１０は、クレジットネットワークマップ４００を作成するためにプログラムモジュール１２０からの命令を実行する。
【００６０】
特に、命令は、プロセッサ１１０に、第１のエンティティの識別子を受け取らせ、第１のエンティティの債権者である第２のエンティティの識別子を返すデータベースの第１の検索を実行させ、第２のエンティティについて信用照会を行ったことがある第３のエンティティの識別子を返すデータベースの第２の検索を実行させ、記憶デバイスにおいて、第２のエンティティを介した第１のエンティティと第３のエンティティとの間の経路を定義するデータ構造を構築させる。
【００６１】
たとえば、図４を参照すると、第１のエンティティの識別子は、エンティティ２０５である。第１の検索は、エンティティ４０５、たとえば第１のエンティティの債権者の、識別子を返す。第２の検索は、エンティティ４１０、たとえばエンティティ４０５（第２のエンティティ）について信用照会を行ったことがある第３のエンティティの、識別子を返す。さらに、図４は、記憶デバイスにおいて構築された、接続線を介したエンティティ２０５とエンティティ４１０との間の経路を定義するデータ構造を示す。
【００６２】
さらなる実施形態において、命令はさらに、プロセッサ１１０に、第３のエンティティの特性の関数に従って第１のエンティティの特性を評価させ得る。加えて、第１の検索はまた、第２のエンティティから第１のエンティティに供与されたクレジットの第１の額を返し得、プロセッサがデータ構造を構築する場合、プロセッサはさらに、第１のエンティティの識別子、第２のエンティティの識別子、第３のエンティティの識別子、及びクレジットの額を含み得る。
【００６３】
たとえば、プロセッサ１１０は、エンティティ４１０、すなわち第３のエンティティのクレジットリスクの関数に従って、エンティティ２０５、すなわち第１のエンティティの、クレジットリスクの特性を評価し得る。
【００６４】
図５は、方法、すなわち、エンティティのクレジット挙動を評価するための方法５００である。
【００６５】
特に、方法５００は、図２の財務関係マップ２００に示されたエンティティ間の関係に関する。特に、方法５００は、エンティティ２０５、エンティティ２１０及びエンティティ２１５の間の関係に関する。エンティティ２１０は、エンティティ２０５の債権者であり、エンティティ２１５は、エンティティ２１０の債権者である。
【００６６】
方法５００は、ステップ５０５で始まる。ステップ５０５は、第１のエンティティ、たとえばエンティティ２０５の、識別子を受け取ることを提供する。ステップ５０５の後、方法５００は、ステップ５１０に進む。
【００６７】
ステップ５１０は、第１のエンティティの債権者である第２のエンティティ、たとえばエンティティ２１０について、データベースを検索することを提供する。ステップ５１０の後、方法５００は、ステップ５１５に進む。
【００６８】
ステップ５１５は、第２のエンティティの債権者である第３のエンティティ、たとえばエンティティ２１５について、データベースを検索することを提供する。ステップ５１５の後、方法５００は、ステップ５２０に進む。
【００６９】
ステップ５２０は、第２のエンティティを介した第１のエンティティと第３のエンティティとの間の経路を定義するデータ構造を構築することを提供する。ステップ５１０の後、方法５００は、ステップ５２５に進む。
【００７０】
ステップ５２５は、第３のエンティティの特性の関数に従って第１のエンティティの特性を評価することを提供する。ステップ５２５の後、方法５００は終了する。
【００７１】
図６は、さらなる方法、すなわち、エンティティのクレジット挙動を評価するための方法６００である。
【００７２】
特に、方法６００は、図２の財務関係マップ２００に示されたエンティティ間の関係に関する。特に、方法６００は、エンティティ２０５、エンティティ２３０及びエンティティ２３５の間の関係に関する。エンティティ２３０は、エンティティ２０５に階層的に関連し、エンティティ２３５は、エンティティ２３０の債権者である。
【００７３】
方法６００は、ステップ６０５で始まる。ステップ６０５は、第１のエンティティ、たとえばエンティティ２０５の、識別子を受け取ることを提供する。ステップ６０５の後、方法６００は、ステップ６１０に進む。
【００７４】
ステップ６１０は、第１のエンティティに階層的に関連する第２のエンティティ、たとえばエンティティ２３０について、データベースを検索することを提供する。ステップ６１０の後、方法６００は、ステップ６１５に進む。
【００７５】
ステップ６１５は、第２のエンティティの債権者である第３のエンティティ、たとえばエンティティ２３５について、データベースを検索することを提供する。ステップ６１５の後、方法６００は、ステップ６２０に進む。
【００７６】
ステップ６２０は、第２のエンティティを介した第１のエンティティと第３のエンティティとの間の経路を定義するデータ構造を構築することを提供する。ステップ６２０の後、方法６００は、ステップ６２５に進む。
【００７７】
ステップ６２５は、第３のエンティティの特性の関数に従って第１のエンティティの特性を評価することを提供する。ステップ６２５の後、方法６００は終了する。
【００７８】
図７は、エンティティのクレジット挙動を評価するためのさらなる方法である。
【００７９】
特に、方法７００は、図３の財務関係マップ３００に示されたエンティティ間の関係に関する。特に、方法７００は、エンティティ２０５、エンティティ３０５及びエンティティ３１０の間の関係に関する。エンティティ３０５は、エンティティ２０５について信用照会を行う者であり、エンティティ３１０は、エンティティ３０５の債権者である。
【００８０】
方法７００は、ステップ７０５で始まる。ステップ７０５は、第１のエンティティ、たとえばエンティティ２０５の、識別子を受け取ることを提供する。ステップ７０５の後、方法７００は、ステップ７１０に進む。
【００８１】
ステップ７１０は、第１のエンティティについて信用照会を行ったことがある第２のエンティティ、たとえばエンティティ３０５について、データベースを検索することを提供する。ステップ７１０の後、方法７００は、ステップ７１５に進む。
【００８２】
ステップ７１５は、第２のエンティティの債権者である第３のエンティティ、たとえばエンティティ３１０について、データベースを検索することを提供する。ステップ７１５の後、方法７００は、ステップ７２０に進む。
【００８３】
ステップ７２０は、第２のエンティティを介した第１のエンティティと第３のエンティティとの間の経路を定義するデータ構造を構築することを提供する。ステップ７２０の後、方法７００は、ステップ７２５に進む。
【００８４】
ステップ７２５は、第３のエンティティの特性の関数に従って第１のエンティティの特性を評価することを提供する。ステップ７２５の後、方法７００は終了する。
【００８５】
図８は、エンティティのクレジット挙動を評価するためのさらなる方法である。
【００８６】
特に、方法８００は、図４の財務関係マップ４００に示されたエンティティ間の関係に関する。特に、方法８００は、エンティティ２０５、エンティティ４０５及びエンティティ４１０の間の関係に関する。エンティティ４０５は、エンティティ２０５の債権者であり、エンティティ４１０は、エンティティ４０５について信用照会を行う者である。
【００８７】
方法８００は、ステップ８０５で始まる。ステップ８００は、第１のエンティティ、たとえばエンティティ２０５の、識別子を受け取ることを提供する。ステップ８０５の後、方法８００は、ステップ８１０に進む。
【００８８】
ステップ８１０は、第１のエンティティの債権者である第２のエンティティ、たとえばエンティティ４０５について、データベースを検索することを提供する。ステップ８１０の後、方法８００は、ステップ８１５に進む。
【００８９】
ステップ８１５は、第２のエンティティについて信用照会を行ったことがある第３のエンティティ、たとえばエンティティ４１０について、データベースを検索することを提供する。ステップ８１５の後、方法８００は、ステップ８２０に進む。
【００９０】
ステップ８２０は、第２のエンティティを介した第１のエンティティと第３のエンティティとの間の経路を定義するデータ構造を構築することを提供する。ステップ８２０の後、方法８００は、ステップ８２５に進む。
【００９１】
ステップ８２５は、第３のエンティティの特性の関数に従って第１のエンティティの特性を評価することを提供する。ステップ８２５の後、方法８００は終了する。
【００９２】
図９は、エンティティのクレジット挙動を評価するためのさらなる方法である。
【００９３】
特に、方法９００は、図３の財務関係マップ３００に示されたエンティティ間の関係に関する。特に、方法９００は、エンティティ２０５、エンティティ２３０及びエンティティ３２５の間の関係に関する。エンティティ２３０は、エンティティ２０５に階層的に関連し、エンティティ３２５は、エンティティ２３０について信用照会を行う者である。
【００９４】
方法９００は、ステップ９０５で始まる。ステップ９０５は、第１のエンティティ、たとえばエンティティ２０５の、識別子を受け取ることを提供する。ステップ９０５の後、方法９００は、ステップ９１０に進む。
【００９５】
ステップ９１０は、第１のエンティティに階層的に関連する第２のエンティティ、たとえばエンティティ２３０について、データベースを検索することを提供する。ステップ９１０の後、方法９００は、ステップ９１５に進む。
【００９６】
ステップ９１５は、第２のエンティティについて信用照会を行ったことがある第３のエンティティ、たとえばエンティティ３２５について、データベースを検索することを提供する。ステップ９１５の後、方法９００は、ステップ９２０に進む。
【００９７】
ステップ９２０は、第２のエンティティを介した第１のエンティティと第３のエンティティとの間の経路を定義するデータ構造を構築することを提供する。ステップ９２０の後、方法９００は、ステップ９２５に進む。
【００９８】
ステップ９２５は、第３のエンティティの特性の関数に従って第１のエンティティの特性を評価することを提供する。ステップ９２５の後、方法９００は終了する。
【００９９】
本明細書において説明された技法は、例示であり、本開示に対する任意の特定の限定を暗に示すものとして解釈されるべきではない。さまざまな代替例、組み合わせ、及び変更が当業者によって考案され得ることが理解されるべきである。たとえば、本明細書において説明された処理に関連づけられたステップは、ステップ自体によってそうでないと明示又は指示されない限り、任意の順序で実行され得る。本開示は、添付の請求項の範囲内に入るそのようなすべての代替例、変更、及び変形例を含むように意図される。
【図１】
0005770961.tif 000002
【図２】
0005770961.tif 000003
【図３】
0005770961.tif 000004
【図４】
0005770961.tif 000005
【図５】
0005770961.tif 000006
【図６】
0005770961.tif 000007
【図７】
0005770961.tif 000008
【図８】
0005770961.tif 000009
【図９】
0005770961.tif 000010